(57)【特許請求の範囲】
【請求項１】
エレベータ設備内またはエスカレータ上の人を輸送するための第１のシステム（１）及び第２のシステム（１）を動作させる方法であって、
第１のシステム（１）は第１の建物（１３）内にあり、第２のシステム（１）は第２の建物（１３）内にあり、前記方法は、
第１のシステム（１）のコンピュータメモリ（１１１）に、輸送のための複数のユーザプロファイル（Ａ、Ａ’、Ａ’’）を記憶し、
第２のシステム（１）のコンピュータメモリ（１１１）に、輸送のための複数のユーザプロファイル（Ａ、Ａ’、Ａ’’）を記憶し、
第１のシステム（１）のコンピュータメモリ及び第２のシステム（１）のコンピュータメモリ内の複数のユーザプロファイル（Ａ、Ａ’、Ａ’’）を更新し、
第１の建物（１３）において、それぞれの識別コード（２）で、少なくとも１つの認識装置（１０）によって、少なくとも二人の人を認識し、それぞれの識別コード（３）が、少なくとも１つの制御装置（１１）に転送され、
第１の建物（１３）において、認識された識別コード（３）ごとに、複数のユーザプロファイル（Ａ、Ａ’、Ａ’’）の少なくとも１つを、コンピュータメモリから読み出し、
第１の建物（１３）において、読み出されたユーザプロファイル（Ａ、Ａ’、Ａ’’）を、輸送プロファイル（Ｂ）を生成するために少なくとも１つの論理ゲートに関連して設定し、あるいは、第１の建物（１３）において、最も高い優先順位の重みづけを有する読み出されたユーザプロファイル（Ａ、Ａ’、Ａ’’）のうちの少なくとも１つを、輸送プロファイル（Ｂ）として使用し、
第１の建物（１３）において、この輸送プロファイル（Ｂ）に基づいて、第１の建物内の少なくとも１つのエレベータ設備またはエスカレータ（１２）を、制御装置（１１）によって統御する、方法。
【請求項２】
少なくとも１つの空間ユーザプロファイルまたは区域プロファイル（Ａ１、Ａ１’、Ａ１’’）、少なくとも１つの時間ユーザプロファイルまたは期間プロファイル（Ａ２、Ａ２’、Ａ２’’）、少なくとも一人の人に固有のユーザプロファイルまたは個別プロファイル（Ａ３、Ａ３’、Ａ３’’）、少なくとも１つのグループ固有のユーザプロファイルまたはグループプロファイル（Ａ４、Ａ４’、Ａ４’’）、および、少なくとも１つのセキュリティ関連ユーザプロファイルまたはセキュリティプロファイル（Ａ５、Ａ５’、Ａ５’’）を備えたユーザプロファイル（Ａ、Ａ’、Ａ’’）が、使用されることを特徴とする請求項１に記載の方法。
【請求項３】
少なくとも１つの区域（Ｗ、Ｘ、Ｙ、Ｚ）に少なくとも１回入った時刻（ＴＺ）または少なくとも１つの区域（Ｗ、Ｘ、Ｙ、Ｚ）から少なくとも１回出た時刻（ＴＡ）が、少なくとも１つのユーザプロファイル（Ａ、Ａ’、Ａ’’）にしたがって記録されることを特徴とする請求項１又は２に記載の方法。
【請求項４】
少なくとも１つの区域（Ｗ、Ｘ、Ｙ、Ｚ）にユーザが存在することが、前記区域（Ｗ、Ｘ、Ｙ、Ｚ）へ入ったときの時刻（ＴＺ）と前記区域（Ｗ、Ｘ、Ｙ、Ｚ）から出たときの時刻（ＴＡ）との時間差であるユーザ固有の区域時間として、記録され、
これらのユーザ固有の区域時間のそれぞれに、対応するユーザ固有の賃金コスト値が乗算され、ユーザ固有の区域時間賃金コスト値を提供する、ことを特徴とする請求項３に記載の方法。
【請求項５】
第１の建物（１３）及び第２の建物（１３）のエレベータ設備内またはエスカレータ上の人を輸送するためのシステムであって、
第１の建物（１３）において、輸送のための複数のユーザプロファイル（Ａ、Ａ’、Ａ’’）を記憶する第１のコンピュータメモリ（１１１）と、
第２の建物（１３）において、輸送のための複数のユーザプロファイル（Ａ、Ａ’、Ａ’’）を記憶する第２のコンピュータメモリ（１１１）と、
第１の建物（１３）及び第２の建物（１３）の各々において、少なくとも１つの認識装置（１０）を備え、該認識装置（１０）は輸送すべき人の少なくとも１つの識別コード（２）を認識するように構成され、
前記システムは、
第１の建物（１３）及び第２の建物（１３）の各々において、それぞれの少なくとも１つの認識装置（１０）に接続された少なくとも１つの制御装置（１１）備え、制御装置（１１）はそれぞれの認識された識別コード（３）を受信するように構成され、制御装置（１１）は、輸送されるべき少なくとも二人の人少なくとも２つのユーザプロファイルを少なくとも１つの論理ゲートに関連して設定することにより、輸送されるべき少なくとも二人の人少なくとも２つのユーザプロファイル（Ａ、Ａ’、Ａ’’）を使用して輸送プロファイルを生成するように構成され、あるいは、制御装置（１１）は、最も高い優先順位の重みづけを有する少なくとも１つのユーザプロファイル（Ａ、Ａ’、Ａ’’）を輸送プロファイル（Ｂ）として使用するように構成され、
前記システムは、
第１の建物（１３）及び第２の建物（１３）の各々において、それぞれの少なくとも制御装置（１１）に接続された少なくとも１つのエレベータ設備またはエスカレータを有する、システム。
【発明の詳細な説明】
【０００１】
【発明の属する技術分野】
本発明は、特許請求の定義にしたがい、エレベータ設備内および／またはエスカレータ上の人／物を輸送するシステム、そのようなシステムを動作させる方法、および、そのようなシステムを統御するための制御装置およびコンピュータプログラムプロダクトに関する。
【０００２】
【従来の技術】
エレベータ設備内および／またはエスカレータ上の人／物を輸送するシステムは、輸送すべき人／物を識別するのを可能にするだけでなく、その識別によって、制御された輸送を行うことを可能にする。本発明の従来技術である欧州特許出願第ＥＰ−０６９９６１７号は、輸送手段としてのエレベータ設備を統御するための装置を開示しており、この装置においては、識別送信機および認識装置を介して、人が、接触することなくエレベータ設備を統御する。識別送信機は、人が携帯し、所定の場所に取り付けられた認識装置へ識別コードを送信する。認識装置は、識別コードを認識し、その識別コードを処理ユニットに転送する。処理ユニットは、この認識され、転送された識別コードに、あらかじめ定められた所望の移動目的地を割り当て、それに対応する制御信号をエレベータ設備に送信する。そして、エレベータ設備は、このようにして識別された人を、自動的かつ人が介在することなく、その人の目的地まで輸送する。
【０００３】
エレベータ設備内および／またはエスカレータ上の輸送すべき人／物の個々の特徴および要求が、より良好に認識されることが望ましい。さらに、輸送されるべき人／物のお互いの動作をより良く注意することが望ましい。最後に、輸送されるべき人／物の総体的な特徴および要求をより良好に認識することが望ましい。
【０００４】
【特許文献１】
欧州特許出願第０６９９６１７号明細書
【０００５】
【発明が解決しようとする課題】
本発明の目的は、上述した要望を満足させる、エレベータ設備内および／またはエスカレータ上の人／物を輸送するシステム、そのようなシステムを動作させる方法、および、そのようなシステムを統御するための制御装置およびコンピュータプログラムプロダクトを提供することである。
【０００６】
【課題を解決するための手段】
この目的は、特許請求の定義にしたがい本発明によって達成される。
【０００７】
本発明の本質は、輸送される人および／または物の輸送を望む人が、十分に満足するようなやり方で、エレベータ設備および／またはエスカレータによって人／物を輸送することである。これは、人／物を輸送するシステムの拡張性のある構造によって達成される。
【０００８】
「拡張性のある構造」は、第１の段階において、少なくとも１つのユーザプロファイルが、輸送されるべき人／物に生成されることを意味する。様々なプロファイルが、存在する。
【０００９】
区域におけるユーザの空間的なアクセス許可が定義される、空間ユーザプロファイルまたは区域プロファイル。および／または、
ユーザの時間的権利が、期間によって定義される、時間ユーザプロファイルまたは期間プロファイル。および／または、
人／物に固有のユーザプロファイルまたは個別のプロファイルで、ユーザ名、事務所／フロア、建物番号／事務所番号、電話番号、誕生日、性別、体重などのような、ユーザに関する個別情報が、定義され、また、輸送手段内でユーザが受け取りたいあるいは受け取りたくないニュースの種類、輸送手段内でユーザが聞きたいあるいは聞きたくない音楽の種類のようなユーザの選好が、定義される。および／または、
ユーザ等を輸送するときの優先順位に関する情報が定義される、グループ固有のユーザプロファイルまたはグループプロファイル。および／または、
セキュリティ関連のユーザプロファイルまたはセキュリティプロファイルで、災害／危険評価（人／物品が、災害を発生させるか？。もしそうであれば、そのために、他の人／物を輸送すべきか？。人／物品が、罹災するか？。もしそうであれば、緊急事態が発生した場合に、どのような対策をとるべきか？。）のような、ユーザの安全面に関する情報が、定義される。
【００１０】
ユーザプロファイルのこれらの要素、区域プロファイル、期間プロファイル、個別プロファイル、グループプロファイル、および、セキュリティプロファイルは、お互いにどのように組み合わせられてもよい。
【００１１】
さらに、「拡張性のある構造」は、第２の段階において、１つのユーザプロファイルが、輸送プロファイルとして使用されるか、または、輸送されるべき人／物の少なくとも２つのユーザプロファイルをお互いにリンクして、状況に適合した少なくとも１つの輸送プロファイルとすることを意味する。有利には、輸送されるべき人／物のユーザプロファイルは、輸送プロファイルを生成するために少なくとも１つの論理ゲートに関連して設定される。
【００１２】
このようにして、輸送されるべき人／物のための輸送計画を容易にかつ迅速に組み立てることができる。輸送されるべき少なくとも一人の人／１つの物品は、少なくとも１つの識別コードを介して、少なくとも１つの認識装置によって認識される。この認識された識別コードは、少なくとも１つの制御装置に転送される。輸送されるべき少なくとも一人の人／１つの物品の少なくとも１つのユーザプロファイルが、認識された識別コードごとに、用意されるか、または、輸送されるべき少なくとも二人の人／２つの物品のユーザプロファイルをリンクして、輸送プロファイルを生成する。エレベータ設備またはエスカレータまたはドアのような少なくとも１つの輸送手段が、この輸送プロファイルにしたがって、制御装置によって統御される。
【００１３】
したがって、本発明は、エレベータ設備内および／またはエスカレータ上の人／物を輸送するためのシステム、そのようなシステムを動作させる方法、および、そのようなシステムを統御するための制御装置およびコンピュータプログラムプロダクトに関する。
【００１４】
ユーザプロファイルのこの拡張性のある構造は、ネットワークにおけるユーザの権利が、アドミニストレータによって、管理され、かつ、割り当てられる、コンピュータ援用ネットワーク技術から知られているものにかなり対応している。驚いたことに、このネットワーク管理を人／物を輸送するシステムに応用することは、これまでに、実現されていない。
【００１５】
それにはいくつかの理由がある。
【００１６】
１つの理由は、輸送手段のユーザの願望および要求が、これまで、はっきりと表現されてこなかったことであり、および／または、輸送手段のユーザの願望および要求が、これまで、拡張性のある構造において表現されてこなかったことである。
【００１７】
もう１つの理由は、例えば、必要な識別コードおよび認識手段に規格が確立されていなかったために、および／または、この目的のために必要とされるコンピュータおよび／またはコンピュータプログラムプロダクトが、十分な性能を有しておらず、および／または、価格が高すぎたために、本発明にしたがってユーザの願望および要求を満たすことが、技術的に不可能であったことである。
【００１８】
最後に、この分野における専門家の先入観を克服しなければならなかったことである。輸送手段を製造する機械産業は、その伝統的な技術領域に固執し、機械的に安定していてコストのかからない輸送手段を生産しかつ動作させることだけに縛られてきた。今日まで、機械産業は、本発明の課題を自らに課してこなかった。今日まで、機械産業は、多かれ少なかれ、輸送手段のユーザの願望および要求を無視してきた。また、今日まで、機械産業は、識別コードおよび認識手段のような本発明の解決に必要な新しい技術に、あるいは、コンピュータおよびコンピュータプログラムプロダクトにほとんどあるいはまったくかかわってこなかった。
【００１９】
以下に、本発明を、図１から図６にしたがい例としての実施形態を参照しながら詳細に説明する。
【００２０】
【発明の実施の形態】
図１は、エレベータ設備内および／またはエスカレータ上の人／物を輸送するシステム１の例として実施形態の一部分の原理を表す図を示す。システム１は、少なくとも１つの識別コード２と、少なくとも１つの認識装置１０と、少なくとも１つの制御装置１１と、エレベータ設備またはエスカレータのような少なくとも１つの輸送手段１２とを備える。
【００２１】
識別コード２は、認識装置１０によって認識され、人または物品を一意に識別する役割をなす。
【００２２】
例えば、識別送信機９は、認識装置１０と通信を行う。有利には、識別送信機９は、移動可能であり、人または物品によって携帯され、それに対して、認識装置１０は、所定の場所に、例えば、輸送手段１２の近くに取り付けられる。
【００２３】
識別送信機９は、例えば、トランスポンダアンテナおよび送信機電子回路を備えたトランスポンダである。識別送信機９の送信機電子回路は、例えば、送信機ユニットおよび受信機ユニットと、少なくとも１つの情報項目を含むメモリーとを有する。この情報は、例えば、識別送信機が読み取り可能および書き込み可能となる識別送信機規格に関する情報、および／または、識別送信機を一意に識別することのできる識別送信機の一連番号、および／または、識別送信機を所持するものを一意に識別することのできる少なくとも１つの識別コード２を備える。
【００２４】
例えば、識別送信機９は、電磁界からの誘導によって、動作電圧を提供される。好ましくは、認識装置１０が、そのような電磁界を放射する。認識装置１０は、相応に構成された送受信アンテナと、電子的な読み取り書き込みユニットとを有する。例えば、認識装置１０の読み取り書き込みユニットは、認識プロトコルのためのメモリーと、認識プロトコルを実行するためのプロセッサとを有する。
【００２５】
識別送信機９および認識装置１０は、双方向で通信を行い、そのことが、図１において、双方向矢印によって図示される。例えば、識別送信機９は、認識装置１０の送受信領域に持ち込まれ、トランスポンダアンテナによって、認識装置１０の問い合わせ信号を受信する、認識装置１０への応答信号として、トランスポンダのメモリー内に記憶された識別コード２を放射する。認識プロトコルには、様々なものがある。例えば、識別送信機９と認識装置１０との間の通信は、暗号化され、また、識別送信機９が、読み取り可能および／または書き込み可能となる前に、識別送信機９は、認識装置１０にパスワードを要求してもよい。例えば、認識装置１０の識別コード２は、認識プロトコルによって認識される。認識プロトコルは、私的なものであってもよいが、工業規格として標準化されたものであってもよい。当然ながら、本発明に関する知識によって、この分野に精通する者は、識別送信機および／または識別送信機用に意図された認識装置の実施形態の限定されない変形を実現することができる。したがって、例えば、認識装置との非接触型通信の基盤として光を使用するような別の識別送信機が、使用されてもよい。識別送信機および識別送信機用に意図された認識装置それぞれを提示する実施形態は、例としてあげたものであり、本発明の適用および／または保護の範囲を限定するものではない。とりわけ、本発明は、非接触型通信を行う識別送信機に限定されるものではない。したがって、少なくとも１つの中間接触を介して認識装置と通信を行う、磁気カード、電子チップなどの形態の識別送信機が、使用されてもよい。さらに、認識装置は、輸送手段の近くに取り付けられる必要はなく、移動認識装置であってもよい。
【００２６】
認識装置と通信を行う識別送信機を使用する代わりに、例えば、認識装置のキーパッドを介して、識別コードを機械的に入力してもよい。そのようなキーパッドは、例えば、ユーザによって手で操作され、また、例えば、エレベータ設備の近くのフロアに配置された乗降口キーパッドであり、あるいは、エレベータボックス内に配置されたケージキーパッドである。例えば、マイクロホンまたは認識装置を介して、識別コードを音響的に入力することも可能である。例えば、マイクロホンは、ある周波数を受信し、この周波数を認識し、あるいは、ユーザが、マイクロホンに音声を入力し、その音声入力が、認識装置によって認識される。最後に、指紋、虹彩、顔の輪郭、磁界などのような、ユーザ個々の識別コードが、認識装置によって識別されてもよい。
【００２７】
制御装置１１は、例えば、有線または無線によって、少なくとも１つの認識装置１０に接続される。認識装置１０と制御装置１１との間の通信は、双方向であり、図１において、双方向矢印として図示される。認識装置１０は、出力信号として、例えば、認識された識別コード３を制御装置１１へ放射し、それに対して、制御装置１１は、例えば、認識装置１０に問い合わせを行う。
【００２８】
図２は、ユーザプロファイルＡ、Ａ’、Ａ’’から少なくとも１つの輸送プロファイルＢに至るリンクのブロック図を示す。制御装置１１は、例えば、市販のパーソナルコンピュータまたはワークステーションである。制御装置１１は、ユーザプロファイルＡ、Ａ’、Ａ’’を輸送プロファイルＢにリンクするためのプロセッサ１１０を有する。プロセッサ１１０は、不揮発性メモリーを有してもよい。制御装置１１は、ユーザプロファイルＡ、Ａ’、Ａ’’を含むメモリー１１１にアクセスする。例えば、ユーザプロファイルＡ、Ａ’、Ａ’’を含むメモリー１１１が、制御装置１１内に配置される。認識された識別コード３ごとに、メモリー１１１からの少なくとも１つのユーザプロファイルＡ、Ａ’、Ａ’’が、用意され、プロセッサ１１０において、有利には、「ＡＮＤ」、「ＯＲ」、「ＮＯＴ」などのような、少なくとも１つの論理ゲートにしたがってリンクされ、輸送プロファイルＢを、生成する。
【００２９】
ユーザプロファイルＡ、Ａ’、Ａ’’の配置およびリンクは、少なくとも１つのコンピュータプログラムプロダクトによって実行される。コンピュータプログラムプロダクトは、人／物を輸送するシステム１を統御する役割をなす。コンピュータプログラムプロダクトは、例えば、良く知られている実績のあるコンピュータ言語で記述されたものである。例えば、コンピュータプログラムプロダクトは、それを実行することを意図したどのようなコンピュータにも実装され、例えば、コンピュータプログラムプロダクトは、メモリー内に記憶され、そのコンピュータプログラムプロダクトを実行するために、プロセッサにロードされる。例えば、このコンピュータは、制御装置１１であり、例えば、コンピュータプログラムプロダクトは、制御装置１１のメモリー１１２内に記憶され、例えば、コンピュータプログラムプロダクトは、制御装置１１のプロセッサ１１０にロードされる。コンピュータプログラムプロダクトは、良く知られているように、保存可能なものであり、再現可能なものであり、かつ、更新可能なものである。当然ながら、本発明の知識によって、この分野に精通する者は、コンピュータプログラムプロダクトのこの実施形態の限定されない変形を実現することができる。したがって、本発明のために、コンピュータプログラムを制御装置に実装する必要はない。コンピュータプログラムプロダクトをその実行を意図した他のどのようなコンピュータにも実装し、コンピュータプログラムプロダクトの実行結果を制御装置に通知してもまったくかまわない。例えば、コンピュータプログラムプロダクトは、リモートサーバ内に実装される。このために、制御装置は、例えば、有線または無線によって、あるいは、インターネットによって、そのようなコンピュータに接続されてもよい。
【００３０】
有利には、制御装置１１は、バスプロセッサを有する。バスプロセッサは、例えば、制御装置１１のプロセッサ１１０と輸送手段１２との間の通信に役立つ。制御装置１１は、少なくとも１つの制御信号４によって、輸送プロファイルＢにしたがって輸送手段１２を統御する。当然ながら、本発明の知識によって、この分野に精通する者は、制御装置の限定されない変形を実現することができる。図示される制御装置の実施形態は、例としてあげたものであり、本発明の適用および／または保護の範囲を限定するものではない。例えば、制御装置は、認識装置のための挿入機器、セットトップボックスなどとして構成されてもよい。ユーザプロファイルを含むメモリーをリモートサーバ内に配置して、例えば、有線または無線によって、あるいは、例えば、インターネットによって、ユーザプロファイルを制御装置に通知することも可能である。これによって、すべてのユーザプロファイルのために、安全でありおよび／または中央にあるリモートサーバを提供することができる。また、制御装置からの要求があれば、あるいは、制御装置からの要求がなくても、ユーザプロファイルをリモートサーバのメモリーから制御装置へ通知することも可能である。
【００３１】
輸送手段１２は、例えば、図１にしたがって双方向矢印の輸送方向へ人／物を輸送する１以上のエレベータを備えたエレベータ設備である。例えば、図１に従うエレベータ設備は、建物１３の幾つかのフロアに入口／出口を有する３つのエレベータを有する。例えば、３つのエレベータは、いくつかの事務所を含む建物１３内にお互いに隣接して配置され、人／物を同時に並行輸送することができる。輸送手段のここで提示される実施形態は、例としてあげたものである。しかしながら、本発明の知識によって、この分野に精通する者は、動く歩道、コンベヤベルト、ドア、さらには、鉄道、地下鉄、路面電車、ケーブルカー、航空機などのような、その他の輸送手段を使用することもできる。例えば、輸送手段が、ドアであり、そのドアは、人および／または物品が部屋、階段、廊下などへアクセスするために、制御装置のコマンド信号にしたがって開けられる。
【００３２】
図３は、ユーザプロファイルＡ、Ａ’、Ａ’’の例としての実施形態を示す。有利には、ユーザプロファイルＡ、Ａ’、Ａ’’は、少なくとも１つの空間ユーザプロファイルまたは区域プロファイルＡ１、Ａ１’、Ａ１’’、および／または、少なくとも１つの時間ユーザプロファイルまたは期間プロファイルＡ２、Ａ２’、Ａ２’’、および／または、少なくとも１つの人／物に固有のユーザプロファイルまたは個別プロファイルＡ３、Ａ３’、Ａ３’’、および／または、少なくとも１つのグループ固有のユーザプロファイルまたはグループプロファイルＡ４、Ａ４’、Ａ４’’、および／または、少なくとも１つのセキュリティ関連ユーザプロファイルまたはセキュリティプロファイルＡ５、Ａ５’、Ａ５’’を有する。
【００３３】
区域プロファイルＡ１、Ａ１’、Ａ１’’においては、区域におけるユーザの空間的なアクセス許可が、定義される。区域は、空間的に関連づけられた領域であると解釈されたい。区域は、関連づけられてもよく、あるいは、関連づけられなくてもよい。そのような区域プロファイルＡ１、Ａ１’、Ａ１’’の例としての実施形態が、図４に示される。この図面には、複数階を有する建物１３が、示されており、その建物１３において、輸送手段１２としてのいくつかのエレベータが、人／物を輸送する。例えば、建物１３は、左側と右側の半分に分割される。例えば、建物１３の半分にわかれた各階は、４つの区域Ｗ、Ｘ、Ｙ、Ｚに細分化される。例えば、区域Ｗは、低いアクセス優先順位を備えた区域であり、この区域には、訪問者および客を含めて実質的にすべてのユーザが、アクセスする。例えば、区域Ｗは、建物１３の１階に玄関／受付を備え、建物１３の２階にユーザレストランを備える。例えば、区域ＸおよびＹは、中間のアクセス優先順位を備えた２つの区域であり、この区域には、ある種の特権を有するユーザのみアクセスする。例えば、区域ＸおよびＹの半分にわかれた各階に事務所を有する会社の従業員が、これらの区域ＸおよびＹにアクセスする。例えば、区域Ｚは、高いアクセス優先順位を備えた区域であり、この区域には、ある種の特権を有するユーザのみアクセスする。例えば、この区域には、最上階マンションのオーナー（複数）／テナント（複数）のみアクセスする最上階マンションが含まれる。同じアクセス優先順位を備えた区域は、お互いに隣接していなくてもよい。有利には、それぞれの区域は、本発明による輸送手段１２によってアクセスすることができる。当然ながら、本発明の知識によって、この分野に精通する者は、区域プロファイルの限定されない変形を実現することができる。図示された区域プロファイルの実施形態は、例としてあげたものであり、本発明の適用および／または保護の範囲を限定するものではない。例えば、区域プロファイルは、さらに細かく、すなわち、４つよりもさらに多くの区域に細分化されてもよい。当然ながら、区域プロファイルを４つよりも少ない区域に細分化することも可能である。
【００３４】
期間プロファイルＡ２、Ａ２’、Ａ２’’においては、期間におけるユーザの時間的権利が、定義される。期間は、時間に関連づけられた領域であると解釈されたい。期間は、一定の時間長であってもよく、あるいは、不定の時間長であってもよい。そのような期間プロファイルＡ２、Ａ２’、Ａ２’’の例としての実施形態が、図５に示される。この実施形態において、時間的権利は、期間Ｗ’、Ｘ’、Ｙ’、Ｚ’にしたがう時間的権利である。図５は、複数階を有する建物１３を示し、その建物１３において、輸送手段１２としてのいくつかのエレベータが、人／物を輸送する。例えば、建物１３は、左側と右側の半分に分割される。例えば、建物１３の半分にわかれた各階は、４つの期間Ｗ’、Ｘ’、Ｙ’、Ｚ’に細分化される。例えば、期間Ｗは、低いアクセス優先順位を備えた期間であり、その期間中には、訪問者および客を含めて実質的にすべてのユーザが、アクセスする。例えば、期間Ｗ’は、午前７時から午後８時までの期間からなり、その期間中には、建物１３の１階にある玄関／受付、さらに、建物１３の２階にあるユーザレストランにアクセスすることができる。例えば、期間Ｘ’およびＹ’は、中間のアクセス優先順位を備えた２つの期間であり、その期間中には、ある種の特権を有するユーザのみアクセスする。例えば、期間Ｘ’は、建物１３内の玄関／受付、ユーザレストラン、および、事務所の清掃作業員のための期間からなる。例えば、この期間Ｘ’の時間帯は、午後９時から夜１２時までである。例えば、期間Ｙ’の半分にわかれた各階に事務所を有する会社の従業員は、この期間Ｙ’中にそれらの事務所にアクセスする。例えば、期間Ｙ’は、午前７時から午後６時にわたる。例えば、期間Ｚ’は、高いアクセス優先順位を備えた期間であり、その期間中には、ある種の特権を有するユーザのみアクセスする。例えば、この期間には、最上階マンションのオーナー（複数）／テナント（複数）だけが、１日２４時間の期間Ｚ’中に、アクセスする最上階マンションが含まれる。同じアクセス優先順位を備えた期間は、お互いに隣接していなくてもよい。有利には、それぞれの期間は、本発明による輸送手段１２によってアクセスすることができる。当然ながら、本発明の知識によって、この分野に精通する者は、期間プロファイルの限定されない変形を実現することができる。図示された期間プロファイルの実施形態は、例としてあげたものであり、本発明の適用および／または保護の範囲を限定するものではない。例えば、期間プロファイルは、さらに細かく、すなわち、４つよりもさらに多くの期間に細分化されてもよい。当然ながら、期間プロファイルを４つよりも少ない区域に細分化することも可能である。最後に、期間の時間帯は、自由に設定することができる。さらに、期間プロファイルは、広く解釈されてもよく、時間的なアクセス許可に限定されない。ユーザの選好（例えば、月曜日のポピュラー音楽、金曜日のクラシック音楽、など）を期間中に時間的に変化させるために、時間的権利は、例えば、個別プロファイルと組み合わせられてもよい。
【００３５】
個別プロファイルＡ３、Ａ３’、Ａ３’’においては、ユーザに関する個別の情報項目が、定義される。個別プロファイルＡ３、Ａ３’、Ａ３’’の情報項目の例としては、ユーザ名、事務所／フロア、建物番号／事務所番号、少なくとも１つの電話番号、誕生日（これは、輸送手段１２において、ユーザの誕生日を祝福するのを可能にする）、性別、体重（これは、輸送手段１２のより効率的な利用を可能にする）などがある。しかしながら、個体プロファイルＡ３、Ａ３’、Ａ３’’においては、例えば、輸送手段１２内でユーザが受け取りたいあるいは受け取りたくないニュースの種類（例えば、天気予報、株式市場、など）、輸送手段１２内でユーザが受け取りたいあるいは受け取りたくない音楽の種類（例えば、ポピュラー音楽、ジャズ音楽、クラシック音楽、など）のようなユーザの選好が、定義されてもよい。当然ながら、本発明の知識によって、この分野に精通する者は、個別プロファイルの限定されない変形を実現することができる。説明された個別プロファイルの実施形態は、例としてあげたものであり、本発明の適用および／または保護の範囲を限定するものではない。例えば、個別プロファイルは、特別な順序でユーザにニュース項目を提供する（例えば、まず最初に、天気予報、それから、株式市場）などの点で、より洗練されたものにしてもよい。また、ユーザが、例えば、ジャズ音楽をきわめて不快に思っており、それがなければよいと思っていることが、定義されてもよい。
【００３６】
グループプロファイルＡ４、Ａ４’、Ａ４’’においては、ユーザ等を輸送するときの優先順位などに関する情報が、記憶される。例えば、輸送手段１２のある種のユーザは、会社にとって特別の意義および重要性を有する。そのような重要なユーザが輸送手段１２で費やす時間は、役に立たない時間または損失時間を意味する。しかしながら、多くのそのような重要なユーザが、しばしば、輸送手段１２によって輸送される。したがって、そのような重要なユーザが、多くの時間を輸送手段１２で無駄にするのを回避することが必要である。この理由から、重要なユーザは、高い優先順位で輸送される。「高い優先順位」とは、重要なユーザの輸送が、標準的なユーザの輸送よりも大きな重みづけを受けることを意味する。例えば、制御装置１１は、重要なユーザの輸送を標準的なユーザの輸送より４倍も高く評価する。そのような重要なユーザが、ユーザの識別コード２によって認識されると、制御装置１１は、認識された識別コード３に、４人の標準的なユーザの物理的存在の属性を与え、制御装置は、あたかも４人の標準的なユーザが、輸送手段１２によって輸送されることを望んでいることを認識装置９に指示しているかのように振る舞うが、実際には、１人の重要な人が、指示しているにすぎない。当然ながら、本発明の知識によって、この分野に精通する者は、グループプロファイルの限定されない変形を実現することができる。説明されたグループプロファイルの実施形態は、例としてあげたものであり、本発明の適用および／または保護の範囲を限定するものではない。例えば、グループプロファイルは、重要なユーザと標準的なユーザとを区別するだけでなく、例えば、３つかまたは４つのそのような重みづけがなされるように、より洗練されたものにしてもよい。
【００３７】
セキュリティプロファイルＡ５、Ａ５’、Ａ５’’においては、災害／危険評価（人／物品が、災害を発生させるか？。もしそうであれば、どこに、他の人／物を輸送すべきか？。人／物品が、罹災するか？。もしそうであれば、緊急事態が発生した場合に、どのような対策をとるべきか？。）のような、ユーザの安全面に関する情報項目が、定義される。例えば、輸送されるべき物品が危険な部類に属するかどうかを規定してもよく、もしそうであれば、万一この物品によって事故が発生したならば、どのような対策をとるべきかを規定してもよく、物品を、別の危険な部類に属する物品と一緒に輸送してもよいかどうかを規定してもよく、もしそうであれば、どの物品と一緒にどのくらいの量を輸送してもよいかを規定してもよい。例えば、輸送されるべきユーザが喘息を患っているかどうかを規定してもよい。また、ユーザが喘息の発作を起こしている場合、薬物治療を施すべきかどうか、もしそうであれば、どのような種類の薬物治療を施すべきかを規定してもよい。セキュリティプロファイルＡ５、Ａ５’、Ａ５’’の一部および／または全部は、例えば、輸送手段１３内のモニタまたはラウドスピーカのような手段を介して、アクセスすることができる。しかし、セキュリティプロファイルＡ５、Ａ５’、Ａ５’’の一部および／または全部は、例えば、救急処置係および／または消防士のような専門の責任を取るべき職員がアクセスできるようにしてもよい。セキュリティプロファイルＡ５、Ａ５’、Ａ５’’へのアクセスは、様々な形で規制されてもよい。例えば、輸送手段１２内で、警報が出された後に、自動的にセキュリティプロファイルＡ５、Ａ５’、Ａ５’’が、部分的および／または全面的にアクセス可能にされる。当然ながら、本発明の知識によって、この分野に精通する者は、セキュリティプロファイルの限定されない変形を実現することができる。説明されたセキュリティプロファイルの実施形態は、例としてあげたものであり、本発明の適用および／または保護の範囲を限定するものではない。
【００３８】
図６は、人／物を輸送するシステム１の輸送プロファイルＢの一部を示す図である。輸送プロファイルＢのこの例としてあげた実施形態は、例えば、図３による実施形態における３つのユーザプロファイルＡ、Ａ’、Ａ’’に基づいたものである。有利には、それぞれのユーザプロファイルＡ、Ａ’、Ａ’’は、少なくとも１つの空間ユーザプロファイルまたは区域プロファイルＡ１、Ａ１’、Ａ１’’と、少なくとも１つの時間ユーザプロファイルまたは期間プロファイルＡ２、Ａ２’、Ａ２’’と、少なくとも１つの人／物に固有のユーザプロファイルまたは個別プロファイルＡ３、Ａ３’、Ａ３’’と、少なくとも１つのグループ固有のユーザプロファイルまたはグループプロファイルＡ４、Ａ４’、Ａ４’’と、少なくとも１つのセキュリティ関連ユーザプロファイルまたはセキュリティプロファイルＡ５、Ａ５’、Ａ５’’とを有する。
【００３９】
輸送されるべき人／物のこれら３つのユーザプロファイルＡ、Ａ’、Ａ’’は、少なくとも１つの輸送プロファイルＢにリンクされる。詳細には、ユーザプロファイルＡ、Ａ’、Ａ’’をリンクするのは、少なくとも１つの関数Ｆからなる規則に従って実行される。例えば、区域プロファイルＡ１、Ａ１’、Ａ１’’は、少なくとも１つの区域関数Ｆ１に従ってリンクされる。例えば、期間プロファイルＡ２、Ａ２’、Ａ２’’は、少なくとも１つの期間関数Ｆ２に従ってリンクされる。例えば、個別プロファイルＡ３、Ａ３’、Ａ３’’は、少なくとも１つの個別関数Ｆ３に従ってリンクされる。例えば、グループプロファイルＡ４、Ａ４’、Ａ４’’は、少なくとも１つのグループ関数Ｆ４に従ってリンクされる。例えば、セキュリティプロファイルＡ５、Ａ５’、Ａ５’’は、少なくとも１つのセキュリティ関数Ｆ５に従ってリンクされる。有利には、関数Ｆは、「ＡＮＤ」、「ＯＲ」、「ＮＯＴ」などのような、少なくとも１つの論理ゲートである。
【００４０】
このリンクの結果Ｒが、例えば、少なくとも１つの区域結果Ｒ１として、例えば、少なくとも１つの期間結果Ｒ２として、例えば、少なくとも１つの個別結果Ｒ３として、例えば、少なくとも１つのグループ結果Ｒ４として、例えば、少なくとも１つのセキュリティ結果Ｒ５として、出力される。
【００４１】
以下で、実例に基づいて本発明を説明する。例えば、何人かの人が、それぞれ、認識装置９の識別コード２によって認識され、制御装置１０の認識された識別コード３によって一意に識別される。例えば、これらの人は、現在、建物１３のあるフロア（例えば、１階）において、エレベータ設備の形態を有する輸送手段１２の前にいる。これらの人のユーザプロファイルＡ、Ａ’、Ａ’’が、輸送プロファイルＢにリンクされる。例えば、これらの人の個別プロファイルＡ３、Ａ３’、Ａ３’’を個別関数Ｆ３に従ってリンクした結果は、待っているこれらの人のうち数人は建物１３の同じフロア（例えば、７階）に搬送されることを望んでいるということである。その結果として得られた輸送プロファイルＢは、エレベータ設備への制御信号４として得られ、この制御信号４は、７階へ搬送されることを望んでいる、待機中の人が、エレベータ設備の指示された１つのエレベータに案内され（例えば、火信号および／または音響信号によって）、かつ、１つのグループとして、７階にある彼らの移動目的地に直通で搬送されるべきであることを明示するものである。
【００４２】
エレベータ設備の資源が、最適化されるので、輸送プロファイルＢに基づいたこのような輸送は、より効率的なものとなる。さらに、例えば、指示されたエレベータは、直通で移動目的地に移動し、かつ、途中で止まらないので、輸送プロファイルＢに基づいた輸送は、輸送されるべき人／物にとってより快適なものとなる。最後に、輸送プロファイルＢに基づいた輸送によって、望まれない輸送中の選好を選択的に回避することが可能であり、例えば、指定されたエレベータにおいて、輸送されるべき人のだれもが受け取りたくないようなニュース項目は、選択的に回避される。
【００４３】
このようにして、さらに、輸送手段１２の製造業者は、輸送手段１２の保守およびサービス提供を行うだけでなく、ユーザプロファイルＡ、Ａ’、Ａ’’の保守、サービス提供、および、更新を行うことも可能である。これは、新しいサービスの提供であり、それによって、輸送手段１２の製造業者は、多くの顧客を確保することができる。とりわけ、多くの都市に事務所を有する国際的企業のような顧客にとって、このサービス提供は、有益であり、かつ、意義がある。したがって、例えば、エレベータ設備の製造業者は、それ相応に多くの建物１３内および／またはそれらの顧客／会社の各階のエレベータ設備の保守およびサービス提供を行うことができるだけでなく、これらの多くの建物１３のユーザプロファイルＡ、Ａ’、Ａ’’の保守、サービス提供、および／または、更新を行うこともできる。ユーザプロファイルＡ、Ａ’、Ａ’’は、お互いに組み合わせてもよく、および／または、お互いに交換されてもよく、および／または、集中管理されてもよい。例えば、ある顧客／会社のすべての建物／各階におけるユーザプロファイルは、お互いに互換性がある。したがって、例えば、重要なユーザは、顧客／会社の第１の建物においてだけでなく、顧客／会社が所有する別の建物においても、重要なユーザとして、輸送手段によって輸送される。これによって、エレベータ設備の効率を増大させることができる。なぜなら、すべての建物１３において、ユーザプロファイルＡ、Ａ’、Ａ’’が、使用され、および／または、ユーザプロファイルＡ、Ａ’、Ａ’’が、輸送プロファイルＢにリンクされ、その結果として、輸送されるべき人／物の要求を十分に満たすことができるからである。
【００４４】
このようにして、少なくとも１つのユーザプロファイルＡ、Ａ’、Ａ’’にしたがって、時間記録を行うことも可能である。例えば、システム１の建物１３の少なくとも１つの区域Ｗ、Ｘ、Ｙ、Ｚにユーザが存在することが、区域時間として、すなわち、区域Ｗ、Ｘ、Ｙ、Ｚへ少なくとも１回入ったときの時刻と区域Ｗ、Ｘ、Ｙ、Ｚから少なくとも出たときの時刻との時間差として、記録される。例えば、ユーザは、識別コード２によって、建物１３の玄関／受付において午前８時に認識され、区域プロファイルＡ１、Ａ１’、Ａ１’’を備えたユーザプロファイルＡ、Ａ’、Ａ’’が、認識された識別コード３に割り当てられ、区域プロファイルＡ１、Ａ１’、Ａ１’’にしたがって、ユーザは、建物１３の区域Ｗ、Ｘ、Ｙ、Ｚに入る。区域Ｗ、Ｘ、Ｙ、Ｚへのこのアクセス時刻が、記録される。その後、例えば、昼の１２時に、ユーザが、この区域Ｗ、Ｘ、Ｙ、Ｚから出る。そのユーザが、再度、識別コード２によって認識され、ユーザプロファイルＡ、Ａ’、Ａ’’が、認識された識別コード３に割り当てられ、そして、ユーザが、区域Ｗ、Ｘ、Ｙ、Ｚから出る。この区域Ｗ、Ｘ、Ｙ、Ｚから出でた時刻が、記録される。このようにして、顧客／会社の、建物／フロアにおける区域時間を時間記録として表にすることができる。
【００４５】
この時間記録は、ユーザプロファイルＡ、Ａ’、Ａ’’の少なくともいずれか１つの基準にしたがって、行われる。例えば、単位時間ごとに、かつ、区域Ｗ、Ｘ、Ｙ、Ｚごとに、それぞれのユーザの区域時間が、記録される。これらのユーザ固有の区域時間のそれぞれに、対応するユーザ固有の賃金コスト値が乗算され、ユーザ固有の区域時間賃金コスト値を提供する。そのユーザ固有の区域時間賃金コスト値は、加算され、区域賃金コスト合計を提供する。これによって、顧客／会社の作業計画を区域固有に区分することができ、賃金コストを区域固有にかつユーザに固有に単位時間ごとに記録することができる。当然ながら、本発明の知識によって、この分野に精通する者は、ユーザプロファイルに基づいた時間記録のここで説明されない別の、限定されない変形を実現することができる。
【図面の簡単な説明】
【図１】人／物を輸送するシステムの一部分の原理を示す図である。
【図２】ユーザプロファイルを人／物を輸送するシステムの輸送プロファイルにリンクすることを説明するブロック図である。
【図３】人／物を輸送するシステムの輸送プロファイルの一部を説明する図である。
【図４】人／物を輸送するシステムの区域プロファイルの一部を説明する図である。
【図５】人／物を輸送するシステムの期間プロファイルの一部を説明する図である。
【図６】人／物を輸送するシステムの輸送プロファイルの一部を説明する図である。
【符号の説明】
１  システム
２  識別コード
３  認識された識別コード
９  識別送信機
１０  認識装置
１１  制御装置
１２  輸送手段
１３  建物
Ａ、Ａ’、Ａ’’  ユーザプロファイル
Ａ１，Ａ１’，Ａ１’’  区域プロファイル
Ａ２、Ａ２’、Ａ２’’  期間プロファイル
Ａ３、Ａ３’、Ａ３’’  個別プロファイル
Ａ４、Ａ４’、Ａ４’’  グループプロファイル
Ａ５、Ａ５’、Ａ５’’  セキュリティプロファイル
Ｂ  輸送プロファイル
Ｗ、Ｘ、Ｙ、Ｚ  区域
Ｗ’、Ｘ’、Ｙ’、Ｚ’  期間
ＴＺ、ＴＡ  時刻
Ｆ１  区域関数
Ｆ２  期間関数
Ｆ３  個別関数
Ｆ４  グループ関数
Ｆ５  セキュリティ関数
Ｒ１  区域結果
Ｒ２  期間結果
Ｒ３  個別結果
Ｒ４  グループ結果
Ｒ５  セキュリティ結果
１１０  プロセッサ
１１１  メモリー
【図１】
0004772259.tif 000002
【図２】
0004772259.tif 000003
【図３】
0004772259.tif 000004
【図４】
0004772259.tif 000005
【図５】
0004772259.tif 000006
【図６】
0004772259.tif 000007